(57)【要約】【課題】子供でも現在の室内環境を十分に理解でき、確実に対処を行動として促す。【解決手段】空気の湿度を検出する湿度検出手段１８と、空気に含まれる粒子濃度を検出する埃検出手段１９と、空気に含まれる二酸化炭素濃度を検出する二酸化炭素検出手段２０と、前記各検出手段１８〜２０の各検出値Ｈ０，Ｄ０，Ｃ０と、予め設定した各判定値Ｈ１，Ｈ２，Ｄ１，Ｄ２，Ｃ１，Ｃ２との比較により、室内空気の状態を判定する判定手段（マイコン２１）と、前記判定手段２１の判定結果に基づいて室内空気の状態を絵柄や文字により表示する表示部１１とを備えた構成とする。【選択図】図１
2009150581.tif 000002
【特許請求の範囲】
【請求項１】
空気の湿度を検出する湿度検出手段と、
空気に含まれる粒子濃度を検出する埃検出手段と、
空気に含まれる二酸化炭素濃度を検出する二酸化炭素検出手段と、
前記各検出手段の各検出値と、予め設定した各判定値との比較により、室内空気の状態を判定する判定手段と、
前記判定手段の判定結果に基づいて室内空気の状態を絵柄や文字により表示する表示部と、
を備えることを特徴とする室内環境判定機。
【請求項２】
前記表示部は、前記埃検出手段の検出値（Ｄ０）が埃用注意判定値（Ｄ１）以上の場合に表示する埃用注意表示と、前記二酸化炭素検出手段の検出値（Ｃ０）が二酸化炭素用注意判定値（Ｃ１）以上の場合に表示する二酸化炭素用注意表示とを備えることを特徴とする請求項１に記載の室内環境判定機。
【請求項３】
前記表示部は、前記埃検出手段の検出値（Ｄ０）が埃用改善判定値（Ｄ２）以上の場合に表示する埃用改善表示と、前記二酸化炭素検出手段の検出値（Ｃ０）が二酸化炭素用改善判定値（Ｃ２）以上の場合に表示する二酸化炭素用改善表示とを備えることを特徴とする請求項１または請求項２に記載の室内環境判定機。
【請求項４】
前記表示部の改善表示は、前記埃検出手段の検出値（Ｄ０）および前記二酸化炭素検出手段の検出値（Ｃ０）の両方が改善判定値（Ｄ２，Ｃ２）以上である場合、前記埃用改善表示のみを表示することを特徴とする請求項３に記載の室内環境判定機。
【請求項５】
前記表示部は、前記各検出手段の各検出値と各判定値との比較結果に基づいて、良好状態、該良好状態より環境が悪い注意状態、および、該注意状態より環境が悪い要改善状態の３以上で段階表示可能な集中表示を備えることを特徴とする請求項１に記載の室内環境判定機。
【請求項６】
前記湿度検出手段による検出値（Ｈ０）と比較する判定値として、乾燥状態であるか否かを判定する乾燥判定値（Ｈ１）と、該乾燥判定値（Ｈ１）より高く過湿状態であるか否かを判定する過湿判定値（Ｈ２）とを設定し、前記判定手段は、検出値（Ｈ０）が乾燥判定値（Ｈ１）以上過湿判定値（Ｈ２）未満である場合には良好状態と判定する一方、検出値（Ｈ０）が乾燥判定値（Ｈ１）未満および過湿判定値（Ｈ２）以上である場合には要改善状態と判定し、
前記埃検出手段による検出値（Ｄ０）と比較する判定値として、多いと判定する注意判定値（Ｄ１）と、該注意判定値（Ｄ１）より高く過多と判定する改善判定値（Ｄ２）とを設定し、前記判定手段は、検出値（Ｄ０）が注意判定値（Ｄ１）未満である場合には良好状態と判定する一方、検出値（Ｄ０）が注意判定値（Ｄ１）以上改善判定値（Ｄ２）未満である場合には注意状態と判定するとともに、検出値（Ｄ０）が改善判定値（Ｄ２）以上である場合には要改善状態と判定し、
前記二酸化炭素検出手段による検出値（Ｃ０）と比較する判定値として、多いと判定する注意判定値（Ｃ１）と、該注意判定値（Ｃ１）より高く過多と判定する過剰判定値（Ｃ２）とを設定し、前記判定手段は、検出値（Ｃ０）が注意判定値（Ｃ１）未満である場合には良好状態と判定する一方、検出値（Ｃ０）が注意判定値（Ｃ１）以上改善判定値（Ｃ２）未満である場合には注意状態と判定するとともに、検出値（Ｃ０）が改善判定値（Ｃ２）以上である場合には要改善状態と判定し、
前記集中表示は、前記各検出手段の検出値（Ｈ０，Ｄ０，Ｃ０）と判定値（Ｈ１，Ｈ２，Ｄ１，Ｄ２，Ｃ１，Ｃ２）とに基づいた判定が、最も悪い状態を表示することを特徴とする請求項５に記載の室内環境判定機。
【発明の詳細な説明】
【技術分野】
【０００１】
本発明は、空気に含まれる目に見えない室内アレルゲン情報を検知する室内環境判定機に関するものである。
【背景技術】
【０００２】
近年では、アレルゲンに対して免疫機能が過剰にはたらいてしまうアレルギー体質の人が多くなっている。そして、このようなアレルギー体質の人は、室内の空気に含まれる目に見えない室内アレルゲン情報を監視し、室内の空気が汚染された状態である場合には、迅速に改善を行うことが一番の対策である。
【０００３】
このような室内環境を測定できる室内環境判定機に関連する先行技術文献情報としては次のものがある。
【０００４】
【特許文献１】特開２００２−３３３４０３号公報
【０００５】
この特許文献１では、空気の温度および湿度を検出する温度センサおよび湿度センサと、空気中に含まれる粉塵および二酸化炭素の濃度を検出する埃センサおよび二酸化炭素センサとを搭載した室内環境モニタ装置が記載されている。そして、この室内環境モニタ装置は、各センサによって検出した測定値を表示部に表示可能に構成している。
【０００６】
しかしながら、この室内環境モニタ装置は、表示部に表示された数値がどのような環境を示しているのか、即ち、許容範囲内なのか否か判断することができない。しかも、例えユーザが表示された数値の示す意味（環境）を理解できたとしても、如何なる対処を行えば良いのか解らない。
【発明の開示】
【発明が解決しようとする課題】
【０００７】
本発明は、従来の問題に鑑みてなされたもので、子供でも現在の室内環境を十分に理解でき、確実に対処を行動として促すことが可能な室内環境判定機を提供することを課題とするものである。
【課題を解決するための手段】
【０００８】
前記課題を解決するため、本発明の室内環境判定機は、空気の湿度を検出する湿度検出手段と、空気に含まれる粒子濃度を検出する埃検出手段と、空気に含まれる二酸化炭素濃度を検出する二酸化炭素検出手段と、前記各検出手段の各検出値と、予め設定した各判定値との比較により、室内空気の状態を判定する判定手段と、前記判定手段の判定結果に基づいて室内空気の状態を絵柄や文字により表示する表示部と、を備えた構成としている。
【０００９】
具体的には、この室内環境判定機では、前記表示部は、前記埃検出手段の検出値（Ｄ０）が埃用注意判定値（Ｄ１）以上の場合に表示する埃用注意表示と、前記二酸化炭素検出手段の検出値（Ｃ０）が二酸化炭素用注意判定値（Ｃ１）以上の場合に表示する二酸化炭素用注意表示とを備えることが好ましい。
また、前記表示部は、前記埃検出手段の検出値（Ｄ０）が埃用改善判定値（Ｄ２）以上の場合に表示する埃用改善表示と、前記二酸化炭素検出手段の検出値（Ｃ０）が二酸化炭素用改善判定値（Ｃ２）以上の場合に表示する二酸化炭素用改善表示とを備えることが好ましい。
【００１０】
このように、本発明の室内環境判定機では、判定手段の判定結果に基づいて、表示部にて室内空気の状態を絵柄や文字により注意表示や改善表示を行うため、ユーザが例え子供であってもその状況を理解し、改善のための対処を行うことができる。
【００１１】
また、前記表示部の改善表示は、前記埃検出手段の検出値（Ｄ０）および前記二酸化炭素検出手段の検出値（Ｃ０）の両方が改善判定値（Ｄ２，Ｃ２）以上である場合、前記埃用改善表示のみを表示することが好ましい。ここで、埃に含まれるカビやダニは、アレルギー対策として注意すべき重要原因の１つである。一方、室内の空気に埃が過剰に含まれるという状況は、屋外の汚染された空気が入り込んだ時や、室内の床に蓄積された埃が舞い上がった時に生じるものである。そのため、埃と二酸化炭素の両方が判定値以上を示した状態で、窓を開けることを促した場合には、外気が流入することにより更に埃が舞い上がり、埃濃度が高くなる可能性が高い。そして、本発明では、両方が改善判定値以上である場合には、埃用改善表示のみを表示させる構成としているため、迅速に埃濃度を抑えるように対処させることができる。
【００１２】
さらに、前記表示部は、前記各検出手段の各検出値と各判定値との比較結果に基づいて、良好状態、該良好状態より環境が悪い注意状態、および、該注意状態より環境が悪い要改善状態の３以上で段階表示可能な集中表示を備えることが好ましい。
この場合、前記湿度検出手段による検出値（Ｈ０）と比較する判定値として、乾燥状態であるか否かを判定する乾燥判定値（Ｈ１）と、該乾燥判定値（Ｈ１）より高く過湿状態であるか否かを判定する過湿判定値（Ｈ２）とを設定し、前記判定手段は、検出値（Ｈ０）が乾燥判定値（Ｈ１）以上過湿判定値（Ｈ２）未満である場合には良好状態と判定する一方、検出値（Ｈ０）が乾燥判定値（Ｈ１）未満および過湿判定値（Ｈ２）以上である場合には要改善状態と判定し、前記埃検出手段による検出値（Ｄ０）と比較する判定値として、多いと判定する注意判定値（Ｄ１）と、該注意判定値（Ｄ１）より高く過多と判定する改善判定値（Ｄ２）とを設定し、前記判定手段は、検出値（Ｄ０）が注意判定値（Ｄ１）未満である場合には良好状態と判定する一方、検出値（Ｄ０）が注意判定値（Ｄ１）以上改善判定値（Ｄ２）未満である場合には注意状態と判定するとともに、検出値（Ｄ０）が改善判定値（Ｄ２）以上である場合には要改善状態と判定し、前記二酸化炭素検出手段による検出値（Ｃ０）と比較する判定値として、多いと判定する注意判定値（Ｃ１）と、該注意判定値（Ｃ１）より高く過多と判定する過剰判定値（Ｃ２）とを設定し、前記判定手段は、検出値（Ｃ０）が注意判定値（Ｃ１）未満である場合には良好状態と判定する一方、検出値（Ｃ０）が注意判定値（Ｃ１）以上改善判定値（Ｃ２）未満である場合には注意状態と判定するとともに、検出値（Ｃ０）が改善判定値（Ｃ２）以上である場合には要改善状態と判定し、前記集中表示は、前記各検出手段の検出値（Ｈ０，Ｄ０，Ｃ０）と判定値（Ｈ１，Ｈ２，Ｄ１，Ｄ２，Ｃ１，Ｃ２）とに基づいた判定が、最も悪い状態を表示することが好ましい。
このようにすれば、ユーザに対して容易に状況判断をさせることができる。
【発明の効果】
【００１３】
本発明の室内環境判定機では、判定手段の判定結果に基づいて、表示部にて室内空気の状態を絵柄や文字により表示するため、ユーザが例え子供であってもその状況を理解し、改善のための対処を行うことができる。また、埃と二酸化炭素の両方が改善判定値以上を示す場合、埃用改善表示のみを表示させるため、確実にアレルギー対策として有効な行動のみを促すことができる。
【発明を実施するための最良の形態】
【００１４】
以下、本発明の実施の形態を図面に従って説明する。
【００１５】
図１は、本発明の実施形態に係る室内環境判定機を示す。この室内環境判定機は、室内の空気に含まれる水分量（湿度）、塵埃量に比例する粒子濃度および二酸化炭素濃度を検出し、室内空気の汚染状況（環境）を表示するものである。この室内環境判定機は、前ケース１０と、後ケース１２と、カバー１４とを備えたケーシングの内部に、湿度検出手段である湿度センサ１８と、埃検出手段である埃センサ１９と、二酸化炭素検出手段である二酸化炭素センサ２０とを配設したものである。
【００１６】
前記前ケース１０は、後側を開口した矩形状の樹脂ケースからなり、その前面には前方へ膨出する表示部１１が設けられている。後ケース１２は、前ケース１０の後側開口部を閉塞する前側を開口した樹脂ケースからなり、図２に示すように、その後面には空気を内外にかけて通気させる複数の通気孔１３が設けられている。なお、図２中符号１２ａは、商用電源に接続するためのＡＣアダプタを差し込むための接続部である。図１に示すように、カバー１４は、表示部１１の表面を覆う透光性を有する樹脂製のものである。
【００１７】
本実施形態の表示部１１は、図３（Ａ）に示すように中央の集中表示１５と、図３（Ｂ）に示すように両側下部に位置する注意表示１６ａ，１６ｂと、図３（Ｃ）に示すように上部に位置する改善表示１７ａ〜１７ｄを備えている。そして、各注意表示１６ａ，１６ｂおよび改善表示１７ａ〜１７ｄは、ユーザに注意または改善を促す内容に基づいた絵柄や文字を打ち抜き、背部に配設したＬＥＤにより表出および消失する構成としている。
【００１８】
前記集中表示１５は、３色ＬＥＤにより赤、黄、青のいずれかの配色で発光される段階表示可能なものである。右側に位置する注意表示１６ａは埃用であり、埃のように見せかけた絵柄を打ち抜き、その絵柄がＬＥＤによる黄色の発光により表出される構成としている。左側に位置する注意表示１６ｂは二酸化炭素用であり、息苦しさを表現した絵柄を打ち抜き、その絵柄がＬＥＤによる黄色の発光により表出される構成としている。中央右側に位置する改善表示１７ａは湿度用であり、「カビ・ダニ」という文字を打ち抜き、その文字がＬＥＤによる赤色の発光により表出される構成としている。中央左側に位置する改善表示１７ｂは湿度用であり、「うがい」という文字を打ち抜き、その文字がＬＥＤによる赤色の発光により表出される構成としている。右側端に位置する改善表示１７ｃは埃用であり、掃除を行うことを促すように掃除機の絵柄を打ち抜き、その絵柄がＬＥＤによる赤色の発光により表出される構成としている。左側端に位置する改善表示１７ｄは二酸化炭素用であり、窓を開けて換気を行うことを促すように窓を開けた状態を表現した絵柄を打ち抜き、その絵柄がＬＥＤによる赤色の発光により表出される構成としている。
【００１９】
そして、前記ケース１０，１２の内部には、図示しない制御基板が配設されている。この制御基板には、図４に示すように、各表示１５，１６ａ，１６ｂ，１７ａ〜１７ｄに対応するＬＥＤが実装されている。また、通気孔１３から内部に吸引した空気の湿度を検出する湿度センサ１８と、空気に含まれる粒子濃度を検出する埃センサ１９と、空気に含まれる二酸化炭素濃度を検出する二酸化炭素センサ２０とが実装されている。例えば、湿度センサ１８としては、高分子膜で空気中の湿気を吸湿させ、電気抵抗を計測するものが適用される。埃センサ１９としては、発光部と受光部との間を空気が通過することによる光度変化を測定するものが適用される。二酸化炭素センサ２０としては、フィルム状感応性材に二酸化炭素が接触することによる電圧変化を測定するものが適用される。なお、ケース１０，１２内への室内空気の流入作用および流出作用は、前記空気孔１３を通した自然拡散により行われる。
【００２０】
また、制御基板には、センサ１８，１９，２０による検出値Ｈ０，Ｄ０，Ｃ０に基づいて表示部１１の表示状態を変更する制御手段として、マイコン２１が実装されている。このマイコン２１は、内蔵した記憶手段であるＲＯＭに検出値Ｈ０，Ｄ０，Ｃ０と比較する判定値Ｈ１，Ｈ２，Ｄ１，Ｄ２，Ｃ１，Ｃ２が予め記憶（設定）されており、その比較により室内空気の状態を判定する判定手段の役割をなす。そして、その判定結果に基づいて室内空気の状態を表示部１１に表示するものである。
【００２１】
具体的には、マイコン２１は、図５に示すように、まず、ステップＳ１で、センサ１８，１９，２０によって空気の湿度、埃濃度および二酸化炭素濃度を検出した後、ステップＳ２で、次に検出を行うために内蔵した検出タイマ（１秒）をリセットしてスタートさせる。ついで、ステップＳ３で、センサ１８，１９，２０による検出値Ｈ０，Ｄ０，Ｃ０と、判定値Ｈ１，Ｈ２，Ｄ１，Ｄ２，Ｃ１，Ｃ２とを比較し、室内の空気の状態を判定する室内空気判定処理を実行する。その後、ステップＳ４で、その判定結果に基づいて表示部１１の表示変更処理を実行する。ついで、ステップＳ５で、検出タイマがカウントアップするまで待機し、カウントアップすると、ステップＳ１に戻る。そして、このステップＳ１〜Ｓ５を繰り返し行うものである。
【００２２】
次に、ステップＳ３の室内空気判定処理について具体的に説明する。
【００２３】
まず、湿度センサ１８による検出値Ｈ０と比較する判定値Ｈ１は、空気が乾燥状態であるか否かを判定するもので、判定値Ｈ２は、空気が過湿状態であるか否かを判定する乾燥判定値Ｈ１より高いものである。本実施形態では、乾燥判定値Ｈ１を２５％に設定し、過湿判定値Ｈ２を７５％に設定している。
【００２４】
また、埃センサ１９による検出値Ｄ０と比較する判定値Ｄ１は、適正範囲（低）より多い（中）か否かを判定する注意用のもので、判定値Ｄ２は、適正範囲より過度に多い（高（過多））か否かを判定する改善促進用のものである。即ち、改善判定値Ｄ２は、注意判定値Ｄ１より高く設定されている。
【００２５】
さらに、二酸化炭素センサ２０による検出値Ｃ０と比較する判定値Ｃ１は、適正範囲（低）より多い（中）か否かを判定する注意用のもので、判定値Ｃ２は、適正範囲より過度に多い（高）か否かを判定する改善促進用のものである。即ち、改善判定値Ｃ２は、注意判定値Ｃ１より高く設定されている。
【００２６】
室内空気判定処理では、マイコン２１は、まず、埃センサ１９の検出値Ｄ０と判定値Ｄ１，Ｄ２とを比較する。そして、検出値Ｄ０が注意判定値Ｄ１未満である場合には、空気中に含まれる埃濃度は良好状態であると判定する。一方、検出値Ｄ０が注意判定値Ｄ１以上改善判定値Ｄ２未満である場合には、埃濃度が注意状態と判定する。また、検出値Ｄ０が改善判定値Ｄ２以上である場合には、埃濃度が要改善状態と判定する。
【００２７】
また、マイコン２１は、二酸化炭素センサ２０の検出値Ｃ０と判定値Ｃ１，Ｃ２とを比較する。そして、検出値Ｃ０が注意判定値Ｃ１未満である場合には、空気中に含まれる二酸化炭素濃度は良好状態であると判定する。一方、検出値Ｃ０が注意判定値Ｃ１以上改善判定値Ｃ２未満である場合には、二酸化炭素濃度が注意状態と判定する。また、検出値Ｃ０が改善判定値Ｃ２以上である場合には、二酸化炭素濃度が要改善状態と判定する。
【００２８】
その後、図６（Ａ）に示すように、判定した空気中に含まれる埃濃度と二酸化炭素濃度に基づいて、空気の汚染レベルが状態Ｉから状態ＩＸのいずれに相当するかを判定する。
【００２９】
また、マイコン２１は、湿度センサ１８の検出値Ｈ０と判定値Ｈ１，Ｈ２とを比較する。そして、図６（Ｂ）に示すように、検出値Ｈ０が乾燥判定値Ｈ１以上過湿判定値Ｈ２未満である場合には、空気に含まれる水分は良好状態ＸＩであると判定する。一方、検出値Ｈ０が乾燥判定値Ｈ１未満である場合には、空気が乾燥湿度の要改善状態Ｘであると判定する。また、検出値Ｈ０が過湿判定値Ｈ２以上である場合には、空気が過剰湿度の要改善状態ＸＩＩであると判定する。
【００３０】
次に、前記室内空気判定処理に基づくステップＳ４の表示更新処理について具体的に説明する。
【００３１】
まず、表示部１１の集中表示１５は、各センサ１８，１９，２０の検出値Ｈ０，Ｄ０，Ｃ０と判定値Ｈ１，Ｈ２，Ｄ１，Ｄ２，Ｃ１，Ｃ２とに基づいた判定が、最も悪い状態で表示する。
【００３２】
即ち、全ての数値が適正範囲で良好な状態であると判定された場合（状態Ｉと状態ＸＩとの組み合わせの場合）には、青色に点灯される。また、１つの数値でも、良好状態より環境が悪く、注意が必要であると判定された場合（状態ＩＩ，ＩＶ，Ｖと、状態ＸＩとの組み合わせの場合）には、黄色に点灯される。さらに、１つの数値でも、注意状態より環境が更に悪く、環境改善が必要であると判定された場合（状態ＩＩＩ，ＶＩ，ＶＩＩ，ＶＩＩＩ，ＩＸ、または、状態Ｘ，ＸＩＩが存在する場合）には、赤色に点灯される。
【００３３】
また、他の表示１６ａ，１６ｂ，１７ａ〜１７ｄは、判定された状態Ｉ〜ＸＩＩに基づいて表示される。そして、本実施形態では、注意表示１６ａ，１６ｂは、湿度が状態Ｘ，ＸＩＩの場合には、非表示状態を維持する構成としている。
【００３４】
具体的には、図７に示すように、埃および二酸化炭素の両方が良好な状態Ｉで、湿度が良好な状態ＸＩの場合、全ての表示１６ａ，１６ｂ，１７ａ〜１７ｄを消灯させる。なお、この状態では集中表示１５は青色に点灯される。さらに、埃および二酸化炭素の両方が良好な状態Ｉで、湿度が乾燥している状態Ｘの場合、改善表示１７ｂを赤色に点滅させる。なお、この状態では集中表示１５は赤色に点灯される。そして、埃および二酸化炭素の両方が良好な状態Ｉで、湿度が過湿な状態ＸＩＩの場合、改善表示１７ａを赤色に点滅させる。なお、この状態では集中表示１５は赤色に点灯される。
【００３５】
また、埃が良好で二酸化炭素が要注意の状態ＩＩで、湿度が良好な状態ＸＩの場合、注意表示１６ｂを黄色に点灯させる。なお、この状態では集中表示１５は黄色に点灯される。さらに、埃が良好で二酸化炭素が要注意の状態ＩＩで、湿度が乾燥している状態Ｘの場合、改善表示１７ｂを赤色に点滅させる。なお、この状態では集中表示１５は赤色に点灯される。そして、埃が良好で二酸化炭素が要注意の状態ＩＩで、湿度が過湿な状態ＸＩＩの場合、改善表示１７ａを赤色に点滅させる。なお、この状態では集中表示１５は赤色に点灯される。
【００３６】
また、埃が良好で二酸化炭素が要改善の状態ＩＩＩで、湿度が良好な状態ＸＩの場合、改善表示１７ｄを赤色に点滅させる。なお、この状態では集中表示１５は赤色に点灯される。さらに、埃が良好で二酸化炭素が要改善の状態ＩＩＩで、湿度が乾燥している状態Ｘの場合、改善表示１７ｂ，１７ｄを赤色に点滅させる。なお、この状態では集中表示１５は赤色に点灯される。そして、埃が良好で二酸化炭素が要改善の状態ＩＩＩで、湿度が過湿な状態ＸＩＩの場合、改善表示１７ａ，１７ｄを赤色に点滅させる。なお、この状態では集中表示１５は赤色に点灯される。
【００３７】
また、埃が要注意で二酸化炭素が良好の状態ＩＶで、湿度が良好な状態ＸＩの場合、注意表示１６ａを黄色に点灯させる。なお、この状態では集中表示１５は黄色に点灯される。さらに、埃が要注意で二酸化炭素が良好の状態ＩＶで、湿度が乾燥している状態Ｘの場合、改善表示１７ｂを赤色に点滅させる。なお、この状態では集中表示１５は赤色に点灯される。そして、埃が要注意で二酸化炭素が良好の状態ＩＶで、湿度が過湿な状態ＸＩＩの場合、改善表示１７ａを赤色に点滅させる。なお、この状態では集中表示１５は赤色に点灯される。
【００３８】
また、埃および二酸化炭素の両方が要注意の状態Ｖで、湿度が良好な状態ＸＩの場合、注意表示１６ａ，１６ｂを黄色に点灯させる。なお、この状態では集中表示１５は黄色に点灯される。さらに、埃および二酸化炭素の両方が要注意の状態Ｖで、湿度が乾燥している状態Ｘの場合、改善表示１７ｂを赤色に点滅させる。なお、この状態では集中表示１５は赤色に点灯される。そして、埃および二酸化炭素の両方が要注意の状態Ｖで、湿度が過湿な状態ＸＩＩの場合、改善表示１７ａを赤色に点滅させる。なお、この状態では集中表示１５は赤色に点灯される。
【００３９】
また、埃が要注意で二酸化炭素が要改善の状態ＶＩで、湿度が良好な状態ＸＩの場合、改善表示１７ｄを赤色に点滅させる。なお、この状態では集中表示１５は赤色に点灯される。さらに、埃が要注意で二酸化炭素が要改善の状態ＶＩで、湿度が乾燥している状態Ｘの場合、改善表示１７ｂ，１７ｄを赤色に点滅させる。なお、この状態では集中表示１５は赤色に点灯される。そして、埃が要注意で二酸化炭素が要改善の状態ＶＩで、湿度が過湿な状態ＸＩＩの場合、改善表示１７ａ，１７ｄを赤色に点滅させる。なお、この状態では集中表示１５は赤色に点灯される。
【００４０】
また、埃が要改善で二酸化炭素が良好の状態ＶＩＩで、湿度が良好な状態ＸＩの場合、改善表示１７ｃを赤色に点滅させる。なお、この状態では集中表示１５は赤色に点灯される。さらに、埃が要改善で二酸化炭素が良好の状態ＶＩＩで、湿度が乾燥している状態Ｘの場合、改善表示１７ｂ，１７ｃを赤色に点滅させる。なお、この状態では集中表示１５は赤色に点灯される。そして、埃が要改善で二酸化炭素が良好の状態ＶＩＩで、湿度が過湿な状態ＸＩＩの場合、改善表示１７ａ，１７ｃを赤色に点滅させる。なお、この状態では集中表示１５は赤色に点灯される。
【００４１】
また、埃が要改善で二酸化炭素が要注意の状態ＶＩＩＩで、湿度が良好な状態ＸＩの場合、改善表示１７ｃを赤色に点滅させる。なお、この状態では集中表示１５は赤色に点灯される。さらに、埃が要改善で二酸化炭素が要注意の状態ＶＩＩＩで、湿度が乾燥している状態Ｘの場合、改善表示１７ｂ，１７ｃを赤色に点滅させる。なお、この状態では集中表示１５は赤色に点灯される。そして、埃が要改善で二酸化炭素が要注意の状態ＶＩＩＩで、湿度が過湿な状態ＸＩＩの場合、改善表示１７ａ，１７ｃを赤色に点滅させる。なお、この状態では集中表示１５は赤色に点灯される。
【００４２】
また、埃および二酸化炭素の両方が要改善の状態ＩＸで、湿度が良好な状態ＸＩの場合、改善表示１７ｃを赤色に点滅させる。なお、この状態では集中表示１５は赤色に点灯される。さらに、埃および二酸化炭素の両方が要改善の状態ＩＸで、湿度が乾燥している状態Ｘの場合、改善表示１７ｂ，１７ｃを赤色に点滅させる。なお、この状態では集中表示１５は赤色に点灯される。そして、埃および二酸化炭素の両方が要改善の状態ＩＸで、湿度が過湿な状態ＸＩＩの場合、改善表示１７ａ，１７ｃを赤色に点滅させる。なお、この状態では集中表示１５は赤色に点灯される。
【００４３】
ここで、本実施形態では、埃および二酸化炭素の両方が要改善の状態ＩＸである場合には、埃用の改善表示１７ｃのみを表示する構成としている。これは、埃に含まれるカビやダニは、アレルギー対策として注意すべき重要原因の１つであり、室内の空気に埃が過剰に含まれるという状況は、屋外の汚染された空気が入り込んだ時や、室内の床に蓄積された埃が舞い上がった時に生じるためである。即ち、埃と二酸化炭素の両方が判定値Ｄ２，Ｃ２以上を示した状態で、改善表示１７ｄを点滅させることにより窓を開けることを促した場合には、外気が流入することにより更に埃が舞い上がり、埃濃度が高くなる可能性が高い。そのため、本実施形態では、両方が改善判定値Ｄ２，Ｃ２以上である場合には、埃用の改善表示１７ｃのみを表示させることにより、迅速に埃濃度を抑えるように対処させることができるように構成している。その結果、確実にアレルギー対策として有効な行動のみを促すことができる。
【００４４】
このように、本発明の室内環境判定機では、判定手段であるマイコン２１の判定結果に基づいて、表示部１１にて室内空気の状態を絵柄や文字により注意表示１６ａ，１６ｂや改善表示１７ａ〜１７ｄを点灯または点滅させるため、ユーザが例え子供であってもその状況を理解できる。また、各注意表示１６ａ，１６ｂおよび改善表示１７ａ〜１７ｄは小さいアイコンのようなものであるが、本実施形態では中央に集中表示１５を設けているため、離れた位置でも３段階で室内環境を判断することができる。そして、集中表示１５を見て要注意状態または要改善状態であることを確認した場合、前述のように各表示１６ａ，１６ｂ，１７ａ〜１７ｄの表示状態を確認することにより、確実に対処を行動として促すことができる。
【００４５】
なお、本発明の室内環境判定機は、前記実施形態の構成に限定されるものではなく、種々の変更が可能である。
【００４６】
例えば、前記実施形態では、３個のセンサ１８，１９，２０を同時に検出させたが、それぞれ個別に予め設定した時間毎に検出する構成としてもよい。この場合、二酸化炭素センサ２０の検出値Ｃ０が判定値Ｃ２以上になることにより二酸化炭素用の改善表示１７ｄを点滅させた後、その検出値Ｃ０が判定値Ｃ２未満にならない状態で、埃センサ１９の検出値Ｄ０が判定値Ｄ２以上になった場合、二酸化炭素用の改善表示１７ｄを消灯し、代わりに埃用の改善表示１７ｃを点滅させることが好ましい。
【００４７】
勿論、各表示１５，１６ａ，１６ｂ，１７ａ〜１７ｄの点灯および点滅による表示方法および配色は希望に応じて変更が可能である。また、表示の１５，１６ａ，１６ｂ，１７ａ〜１７ｄのアイコンも希望に応じて変更が可能であり、子供でも認識可能な絵柄や文字であればよい。
【図面の簡単な説明】
【００４８】
【図１】本発明の実施形態に係る室内環境判定機を示す斜視図である。
【図２】図１の背面図である。
【図３】（Ａ），（Ｂ），（Ｃ）は表示部の表示を示す正面図である。
【図４】室内環境判定機の構成を示すブロック図である。
【図５】マイコンによる制御を示すフローチャートである。
【図６】（Ａ）は埃と二酸化炭素との関係による状態判定、（Ｂ）は湿度による状態判定を示す図表である。
【図７】判定した状態に対応する表示状態を示す図表である。
【符号の説明】
【００４９】
１０…前ケース
１１…表示部
１２…後ケース
１３…通気孔
１４…カバー
１５…集中表示
１６ａ，１６ｂ…注意表示
１７ａ〜１７ｄ…改善表示
１８…湿度センサ
１９…埃センサ
２０…二酸化炭素センサ
２１…マイコン
【図１】
2009150581.tif 000003
【図２】
2009150581.tif 000004
【図３】
2009150581.tif 000005
【図４】
2009150581.tif 000006
【図５】
2009150581.tif 000007
【図６】
2009150581.tif 000008
【図７】
2009150581.tif 000009